(57)【特許請求の範囲】
【請求項１】
片面に防水性に富んだ合成樹脂フィルム、アルミ蒸着フィルム、アルミ箔等の薄材が被覆されてなる厚紙から作製され、該薄材を内面とする方形の底壁の四周に折目を介して前後左右の四側壁が連設され、左右両側壁の長さが側壁の高さの２倍未満に設定されかつ後側壁に折目を介して蓋部が連設されてなる組立式包装用紙箱において、
前記前側壁の両端部に側壁下端隅部を基端とする斜状折目が設けられ、該斜状折目上方の三角形状部を側壁内面側に折り曲げうるものとなされる一方、前側壁と左右両側壁とが、各側壁の端部に連設され互いに斜状折目を介して連設された第１連結片及び第２連結片を介して連結され、前記第１連結片が前記三角形状部の端部にのみ重合する大きさに設定されると共に、前記第２連結片が第１連結片よりも形大に設定されて第２連結片が前記三角形状部の内面に接合されうるものとなされる一方、左右両側壁と後側壁とが、各側壁の端部に連設され互いに斜状折目を介して連設された第３連結片及び第４連結片を介して連結されると共に、後側壁に連設された第４連結片に接合片が折目を介して連設され、前記接合片が前記折目から前記第４連結片の内面側に折り返された状態で後側壁内面に重合貼着されてなることを特徴とする組立式包装用紙箱。
【請求項２】
蓋部は、後側壁から折目を介して連設された天板と、天板の前縁から折目を介して連設された前側壁と、天板の左右両側縁から折目を介して連設された左右側壁とを備え、前記前側壁の両端部に前側壁下端隅部を基端とする斜状折目が設けられ、該斜状折目上方の三角形状部を前側壁内面側に折り曲げうるものとなされる一方、前側壁と左右両側壁とが、各側壁の端部に連設され互いに斜状折目を介して連設された第５連結片及び第６連結片を介して連結され、前記第５連結片が前記三角形状部の端部にのみ重合する大きさに設定されると共に、前記第６連結片が第５連結片よりも形大に設定されて前記三角形状部の内面に接合されうるものとなされてなる請求項１に記載の組立式包装用紙箱。
【発明の詳細な説明】
【０００１】
【産業上の利用分野】
この発明は、包装用紙箱、例えば持ち帰り食品の包装に用いられる包装用紙箱に関する。
【０００２】
【従来の技術と課題】
従来、この種の包装用紙箱として、図１４に示すように、側壁（82）（82）（83）（84）の端縁に連設された三角形状連結片（90）（90）（91）（91）…どうしが折目を介して連設され、かつ紙箱内面に合成樹脂フィルム、アルミ箔等の防水性に富んだ薄材が被覆されてなる包装用紙箱（Ｃ）が公知である。
【０００３】
このような紙箱は、持ち帰った食品を包装紙箱に入れたまま、電子レンジ等で温め直すには好適であるが、重合貼着された三角形状連結片（90）（91）…が、紙箱内に突出するために、食品の詰込み、包装の際には三角形状連結片（90）（91）…が邪魔になることがある。もとより、三角形状連結片（90）（91）…をいずれかの側壁内面に接合すれば三角形状連結片（90）（91）…が邪魔になることはないが、三角形状連結片内面及び側壁内面は、いずれも合成樹脂フィルム、アルミ箔等の防水性に富んだ薄材が被覆されているから、該面どうしの接合がいささか困難である。
【０００４】
すなわち、比較的安価なホットメルト接着剤を用いて接合すると、常温下において支障はないが、電子レンジ等で温め直す際に、加熱された電子レンジ内の温度が摂氏約６０度位に上昇すると、ホットメルトが溶け始めて、紙箱の箱形態が保ち難くなってしまうことがある。
【０００５】
また、厚紙どうしを接合するために普通一般に用いられている比較的安価なエマルジョン系接着剤では、薄材により被覆された面どうしの接合が困難であるし、合成樹脂フィルムどうしあるいはアルミ箔どうしを接合する接着剤は、種々存在するものの、いささか高価である。もとより、ステッチ止金具を用いて接合を行えば簡単ではあるが、紙箱が電子レンジでの温め直しに用いられることを考えると、ステッチ止金具による接合の採用は実質的にできない。
【０００６】
この発明は、このような事情に鑑みてなされたもので、厚紙どうしを接合するために普通一般に用いられている比較的安価なエマルジョン系接着剤により連結片と側壁との接合が確実に保持され、紙箱の箱形態が損なわれることのない構造を有する組立式包装用紙箱を提供することを目的とするものである。
【０００７】
【課題を解決するための手段】
上記の目的において、この発明は、連結片の紙露出面が防水性に富んだ薄材により被覆された側壁内面に接合されうる構造を採用した。
【０００８】
すなわち、請求項１の発明は、片面に防水性に富んだ合成樹脂フィルム、アルミ蒸着フィルム、アルミ箔等の薄材が被覆されてなる厚紙から作製され、該薄材を内面とする方形の底壁の四周に折目を介して前後左右の四側壁が連設され、左右両側壁の長さが側壁の高さの２倍未満に設定されかつ後側壁に折目を介して蓋部が連設されてなる組立式包装用紙箱において、前記前側壁の両端部に側壁下端隅部を基端とする斜状折目が設けられ、該斜状折目上方の三角形状部を側壁内面側に折り曲げうるものとなされる一方、前側壁と左右両側壁とが、各側壁の端部に連設され互いに斜状折目を介して連設された第１連結片及び第２連結片を介して連結され、前記第１連結片が前記三角形状部の端部にのみ重合する大きさに設定されると共に、前記第２連結片が第１連結片よりも形大に設定されて第２連結片が前記三角形状部の内面に接合されうるものとなされる一方、左右両側壁と後側壁とが、各側壁の端部に連設され互いに斜状折目を介して連設された第３連結片及び第４連結片を介して連結されると共に、後側壁に連設された第４連結片に接合片が折目を介して連設され、前記接合片が前記折目から前記第４連結片の内面側に折り返された状態で後側壁内面に重合貼着されてなることを特徴とする組立式包装用紙箱、を要旨としている。
【０００９】
請求項２の発明は、蓋部は、後側壁から折目を介して連設された天板と、天板の前縁から折目を介して連設された前側壁と、天板の左右両側縁から折目を介して連設された左右側壁とを備え、前記前側壁の両端部に前側壁下端隅部を基端とする斜状折目が設けられ、該斜状折目上方の三角形状部を前側壁内面側に折り曲げうるものとなされる一方、前側壁と左右両側壁とが、各側壁の端部に連設され互いに斜状折目を介して連設された第５連結片及び第６連結片を介して連結され、前記第５連結片が前記三角形状部の端部にのみ重合する大きさに設定されると共に、前記第６連結片が第５連結片よりも形大に設定されて前記三角形状部の内面に接合されうるものとなされてなる構成を採用している。
【００１０】
【発明の実施の形態】
以下、この発明を図面に基づいて説明する。
【００１１】
図１ないし図５は、本発明に係る組立式包装用紙箱（Ａ）の参考例を示すもので、この包装用紙箱は、片面に防水性に富んだ合成樹脂フィルム、アルミ蒸着フィルム、アルミ箔等の薄材（Ｆ）が被覆されてなる厚紙から作製されている。これを図３に示す展開状態に基づいて詳しく説明すると、方形の底壁（１）の一対の対向縁から折目（11）（11）を介して左右側壁（２）（２）が連設され、他の一対の対向縁から折目（12）（13）を介して前後側壁（３）（４）が連設されている。
【００１２】
左右両側壁（２）（２）は、各々その下隅部から４５度の角度で斜めに立ち上がった斜状折目（10）（10）（10）（10）が設けられ、該斜状折目上方の三角形状部（２ａ）（２ａ）（２ａ）（２ａ）が斜状折目（10）…から左右側壁（２）（２）の内面側に折り畳まれうるものとなされている。また、左右両側壁（２）（２）の上縁から折目（14）（14）を介して折り返し片（５）（５）が連設されている。前記斜状折目（10）…は、この折り返し片（５）（５）にまで延設され、折り返し片（５）（５）の端部が三角形状部（２ａ）と一緒に側壁（２）（２）の内面側に折り返されるものとなされている。
【００１３】
また、左右両側壁（２）（２）は、各々その両端縁から折目（15）（15）（15）（15）を介して第１連結片（６）（６）（６）（６）が連設されている。この第１連結片（６）…は、三角形状部（２ａ）…の端部にのみ重合する大きさに設定されると共に、前後側壁（３）（４）の両端縁に連設された第２連結片（７）（７）（７）（７）に折目（16）（16）（16）（16）を介して連設されている。前記第２連結片（７）…は、第１連結片（６）…よりも形大に設定されて、製作時に三角形状部（２ａ）…の内面に重合貼着されるものとなされている。
【００１４】
図中、（８）は後側壁（４）の上縁から折目（18）を介して連設された蓋片、（９）は蓋片（８）の先端縁から折目（19）を介して連設された折り返し片、（20）は蓋片（８）の折り返し片側に設けられた蓋片折畳用折目、（Ｓ）は接着剤層である。
【００１５】
而して、上記構成を有する包装用紙箱（Ａ）は、前記展開状態から所要箇所の折り曲げ、貼り付けが機械的に行われるいわゆる機械貼りに好適なもので、その工程について説明すると、まず、防水性に富んだ合成樹脂フィルム、アルミ蒸着フィルム、アルミ箔等の薄材（Ｆ）が被覆されてなる面を内面とし、折目（13）から後側壁（４）、蓋片（８）及び折り返し片（９）を面一としたまま、図４に示すように、それらを底壁（１）の内面側に折り返す。次に、この状態において、第２連結片（７）の表面の略々全体にエマルジョン接着剤を塗布した後、斜状折目（10）…から折り返し片（５）端部、三角形状部（２ａ）を面一としたまま、図５に示すように、それらを側壁（２）（２）と内面側に折り返すと、第１連結片（６）…が第２連結片（７）…に重合貼着されると共に、三角形状部（２ａ）…の内面が第２連結片（７）…に重合貼着される。従って、図２に示すように、第２連結片（７）の薄材（Ｆ）が被覆されずに紙が露出した面と、三角形状部（２ａ）の薄材（Ｆ）が被覆された面とが重合され、エマルジョン接着剤による良好な貼着状態が得られる。
【００１６】
使用に供するまでの、輸送、保管時には、この偏平折り畳み状態あるいは蓋片（８）を折目（20）から二つ折りにした状態で取り扱われ、箱詰めの際に、四側壁が起立させられて、箱形態に組み立てられるものである。
【００１７】
なお、この実施形態において、第１連結片（６）…は、側壁（２）（２）の高さに略々等しいものと設定されているが、第２連結片（７）…と三角形状部（２ａ）…との接合面積を増大させるために、第１連結片（６）…の高さをより低いものとしたり、形状を変更したりしても良い。
【００１８】
図６ないし図１２は本発明に係る組立式包装用紙箱（Ｂ）の実施形態を示すもので、上記参考例の紙箱（Ａ）と同様に、片面に防水性に富んだ合成樹脂フィルム、アルミ蒸着フィルム、アルミ箔等の薄材（Ｆ）が被覆されてなる厚紙から作製されている。これを図９に示す展開状態に基づいて詳しく説明すると、方形の底壁（31）の一対の対向縁から折目（51）（51）を介して左右側壁（32）（32）が連設され、他の一対の対向縁から折目（52）（53）を介して前後側壁（33）（34）が連設されている。左右両側壁（32）（32）は、その長さ（Ｌ）が高さ（Ｈ）の２倍未満に設定されている。
【００１９】
前側壁（33）は、各々その下隅部から４５度の角度で斜めに立ち上がった斜状折目（50）（50）が設けられ、該斜状折目上方の三角形状部（33ａ）（33ａ）が前側壁（33）の内面側に折り畳まれうるものとなされている。この実施形態の紙箱（Ｂ）において、前側壁（33）の両端部に斜状折目（50）（50）が設けられるのは、左右両側壁（32）（32）の長さ（Ｌ）が高さ（Ｈ）の２倍未満に設定されているために、左右両側壁（32）（32）に斜め４５度の斜状折目を設けて側壁端部を折り返すものとすることができないためである。
【００２０】
前側壁（33）の両端には折目（54）（54）を介して第１連結片（36）（36）が連設され、該第１連結片（36）（36）は、三角形状部（33ａ）（33ａ）の端部にのみ重合される大きさに設定されると共に、左右両側壁（32）（32）の前側壁がわの端縁に連設された第２連結片（37）（37）に折目（55）（55）を介して連設されている。前記第２連結片（37）（37）は、第１連結片（36）（36）よりも形大に設定されて、製作時に三角形状部（33ａ）（33ａ）の内面に重合貼着されるものとなされている。（56）は第２連結片（37）（37）と左右側壁（32）（32）との間の折目である。
【００２１】
左右両側壁（32）（32）の後側壁がわの端縁には折目（57）（57）を介して台形状の第３連結片（38）（38）が連設される一方、後側壁（34）の両端縁には折目（59）（59）を介して前記第３連結片（38）（38）と同形同大の第４連結片（39）（39）が連設され、第３連結片（38）（38）と第４連結片（39）（39）とは、斜状折目（58）（58）を介して互いに連結されている。また、第４連結片（39）（39）の先端には折目（60）（60）を介して接合片（40）（40）が連設され、該接合片（40）（40）が後側壁（34）の内面に貼着されるものとなされている。
【００２２】
後側壁（34）の上縁には折目（61）を介して蓋部（41）の天板（42）が連設され、該天板（42）の三側縁には折目（62）（63）（63）を介して前側壁（43）、左右両側壁（44）（44）が連設されている。この蓋部（41）の前側壁（43）の両端部には、前側壁下端隅部を基端とする斜状折目（64）（64）が設けられ、該斜状折目上方の三角形状部（43ａ）（43ａ）を蓋部前側壁（43）の内面側に折り曲げうるものとなされている。
【００２３】
蓋部前側壁（43）の両端には、折目（65）（65）を介して第５連結片（45）（45）が連設されている。該第５連結片（45）（45）は三角形状部（43ａ）（43ａ）の端部にのみ重合しうる大きさに設定されている。一方、左右両側壁（44）（44）の端縁には折目（66）（66）を介して第６連結片（46）（46）が連設され、該第６連結片（46）（46）は、斜状折目（67）（67）を介して第５連結片（45）（45）に連結されると共に第５連結片（45）（45）よりも形大に設定され、前記三角形状部（43ａ）（43ａ）の内面に接合されうるものとなされている。
【００２４】
而して、上記構成を有する包装用紙箱（Ｂ）は、前記包装用紙箱（Ａ）と同様に前記展開状態から所要箇所の折り曲げ、貼り付けが機械的に行われるいわゆる機械貼りに好適なもので、その工程について説明すると、まず、防水性に富んだ合成樹脂フィルム、アルミ蒸着フィルム、アルミ箔等の薄材（Ｆ）が被覆されてなる面を内面とし、図１０に示すように接合片（40）（40）を第４連結片（39）（39）の内面にホットメルト接着剤により貼着する。次に、接合片（40）（40）の紙露出面にエマルジョン接着材を塗布した後、接合片（40）（40）を後側壁（34）の内面に重合貼着するべく、左右両側壁（32）（32）、第１連結片ないし第４連結片（36）（37）（38）（39）…を面一にしたまま、第１１図に示すように、底壁内面がわに折り返す。この折り返しの際、接合片（40）（40）は、第４連結片（39）…の内面に貼着されているので、接合片（40）（40）が起き上がってしまって、接合片（40）（40）の紙露出面が後側壁（34）内面に貼着されなくなることが防止されると共に、後述する蓋部（41）を底壁（31）の内面側に折り返す際に、第３連結片（38）ないし第４連結片（39）が立ち上がってしまって、蓋部（41）の折り返しが行い難くなることが防止される。前記左右両側壁（32）（32）の折り返しと共に、蓋部（42）の左右両側壁（44）（44）、第５連結片（45）（45）及び第６連結片（46）（46）を面一にしたまま蓋部天板（42）の内面がわへの折り返しを行う。
【００２５】
その後、第２連結片（37）（37）及び蓋部の第６連結片（46）（46）の略々全体にエマルジョン接着剤を塗布し、三角形状部（33ａ）（33ａ）（43ａ）（43ａ）を第２連結片（37）（37）、蓋部の第６連結片（46）（46）側に折り返し、図１２に示すように三角形状部（33ａ）（33ａ）（43ａ）（43ａ）の内面と、第２連結片（37）（37）又は蓋部の第６連結片（46）（46）とを重合貼着する。最後に、蓋部天板（42）を折目（61）から底壁（31）内面側に折り返して、図１３に示すような偏平折り畳み状態とする。
【００２６】
使用に供するまでの、輸送、保管時には、この偏平折り畳み状態で取り扱われ、箱詰めの際に、四側壁が起立させられて、箱形態に組み立てられるものである。
【００２７】
【発明の効果】
請求項１の発明に係る包装用紙箱（Ｂ）は、全体を偏平な折り畳み状態として、使用に供する迄の保管、輸送スペースを可及的小にすることができると共に、その偏平折り畳み状態から簡単に組み立てられるものであることはもとより、前側壁（33）の両端部に側壁下端隅部を基端とする斜状折目（50）（50）が設けられ、該斜状折目上方の三角形状部（33ａ）（33ａ）を側壁内面側に折り曲げうるものとなされる一方、前側壁（33）と左右両側壁（32）（32）とが、各側壁（32）（32）の端部に連設され互いに斜状折目（55）（55）を介して連設された第１連結片（36）（36）及び第２連結片（37）（37）を介して連結され、前記第１連結片（36）（36）が前記三角形状部（33ａ）（33ａ）の端部にのみ重合する大きさに設定されると共に、前記第２連結片（37）（37）が第１連結片（36）（36）よりも形大に設定されて前記三角形状部（33ａ）（33ａ）の内面に接合されうるものとなされる一方、左右両側壁（32）（32）と後側壁（34）とが、各側壁（32）（32）（34）の端部に連設され互いに斜状折目（58）（58）を介して連設された第３連結片（38）（38）及び第４連結片（39）（39）を介して連結されると共に、後側壁（34）に連設された第４連結片（39）（39）に接合片（40）（40）が折目（40）（40）を介して連設され、前記接合片（40）（40）が前記折目（60）（60）から前記第４連結片（39）（39）の内面側に折り返された状態で後側壁（34）内面に重合貼着されてなるから、合成樹脂フィルム、アルミ蒸着フィルム、アルミ箔等の薄材が被覆されてなる紙箱内面と第２連結片（37）（37）又は接合片（40）（40）の紙露出面とを接合可能とし、比較的安価でかつ耐熱性に優れたエマルジョン接着剤を用いて電子レンジ内の高温下においても箱形態が損なわれることのない良好な重合貼着状態を実現する。従って、特に左右一対の側壁の長さ（Ｌ）が高さ（Ｈ）の２倍未満に設定されかつ後側壁（34）に蓋部（41）が連設されて左右両側壁（32）（32）及び後側壁（34）のいずれにも斜状折目を設けることのできない形式の持ち帰り用組立式包装用紙箱に好適である。
【００２８】
請求項２の発明に係る包装用紙箱（Ｂ）は、蓋部（41）が後側壁（34）から折目（61）を介して連設された天板（42）と、天板（42）の前縁から折目（62）を介して連設された前側壁（43）と、天板（42）の左右両側縁から折目（63）（63）を介して連設された左右側壁（44）（44）とを備えたものであるから、蓋部（41）を紙箱（Ｂ）の上面開口にきっちり嵌め合わせるものとして、より密封状態に近い閉蓋状態を実現できる。また、前側壁（43）の両端部に前側壁下端隅部を基端とする斜状折目（64）（64）が設けられ、該斜状折目上方の三角形状部（43ａ）（43ａ）を前側壁内面側に折り曲げうるものとなされる一方、前側壁（43）と左右両側壁（44）（44）とが、各側壁（43）（44）（44）の端部に連設され互いに斜状折目（67）（67）を介して連設された第５連結片（45）（45）及び第６連結片（46）（46）を介して連結され、前記第５連結片（45）（45）が前記三角形状部（43ａ）（43ａ）の端部にのみ重合する大きさに設定されると共に、前記第６連結片（46）（46）が第５連結片（45）（45）よりも形大に設定されて前記三角形状部（43ａ）（43ａ）の内面に接合されうるものとなされているから、合成樹脂フィルム等の薄材が被覆されてなる蓋部前側壁（43）内面と第６連結片（46）（46）の紙露出面とを接合可能とし、比較的安価でかつ耐熱性に優れたエマルジョン接着剤による良好な重合貼着状態を実現する。
【図面の簡単な説明】
【図１】  本発明に係る組立式包装用紙箱の参考例の斜視図である。
【図２】  同要部水平断面図である。
【図３】  同展開状態平面図である。
【図４】  同製作途上の平面図である。
【図５】  同製作途上の平面図である。
【図６】  本発明に係る組立式包装用紙箱の実施形態の斜視図である。
【図７】  同要部水平断面図である。
【図８】  図６のVIII−VIII線断面図である。
【図９】  本発明に係る組立式包装用紙箱の展開状態平面図である。
【図１０】  同製作途上の平面図である。
【図１１】  同製作途上の平面図である。
【図１２】  同製作途上の平面図である。
【図１３】  同製作途上の平面図である。
【図１４】  従来の組立式紙箱の斜視図である。
【符号の説明】
Ａ、Ｂ…組立式包装用紙箱
Ｆ…薄材
１、31…底壁
２、32、44…左側壁、右側壁
２ａ、33ａ…三角形状部
３、33、43…前側壁
４、34…後側壁
５…折り返し片
６、36…第１連結片
７、37…第２連結片
10、16、50、58、64、67、…斜状折目
11、12、13、14、15、51、52、53、54、55、61、62、63…折目
38…第３連結片
39…第４連結片
40…接合片
41…蓋部
42…天板
45…第５連結片
46…第６連結片
【図１】
0003720091.tif 000002
【図２】
0003720091.tif 000003
【図３】
0003720091.tif 000004
【図４】
0003720091.tif 000005
【図５】
0003720091.tif 000006
【図６】
0003720091.tif 000007
【図７】
0003720091.tif 000008
【図８】
0003720091.tif 000009
【図９】
0003720091.tif 000010
【図１０】
0003720091.tif 000011
【図１１】
0003720091.tif 000012
【図１２】
0003720091.tif 000013
【図１３】
0003720091.tif 000014
【図１４】
0003720091.tif 000015